(57)【要約】【課題】作物を収容する作物収容体の重量を計測する重量計が、その作物収容体に取り付けやすく、また地震等の要因により作物収容体が揺れ動いたときでも作物収容体から外れにくいようにすること。【解決手段】作物を収容する作物収容体の重量を測定する装置であって、作物収容体の底部（１００ｂ）と作物収容体が設置される設置面（９）との間に存在して作物収容体の重量を計測する重量計（２）と、重量計（２）を載置する載置面（３ａ）と載置面の設置面に対する高さ（Ｈ）を調整する調整機構（４）を有する載置台（３）と、載置台（３）を作物収容体の底部（１００ｂ）と互いに接近し得る方向（Ｊ１，Ｊ２）に変位可能な状態で連結する連結部材（５）とを備えている作物収容体の重量測定装置（１）。【選択図】図８
2020046318.tif 000002
【特許請求の範囲】
【請求項１】
作物を収容する作物収容体の重量を測定する装置であって、
前記作物収容体の底部と前記作物収容体が設置される設置面との間に存在して前記作物収容体の重量を計測する重量計と、
前記重量計を載置する載置面と前記載置面の前記設置面に対する高さを調整する調整機構を有する載置台と、
前記載置台を前記作物収容体の底部と互いに接近し得る方向に変位可能な状態で連結する連結部材と、
を備えていることを特徴とする作物収容体の重量測定装置。
【請求項２】
前記作物収容体の底部と前記重量計の間に介在するよう配置されるとともに前記連結部材により前記作物収容体の底部に連結される介在部材を備え、
前記重量計が、前記作物収容体の荷重を受ける突出部を有し、
前記介在部材が、前記重量計と向き合う部位に、前記突出部を位置決めして保持する保持部を有し、
前記載置台に又は前記載置台および重量計に、前記重量計を前記載置台に位置決めして載置する位置決め手段を設けていることを特徴とする請求項１に記載の作物収容体の重量測定装置。
【請求項３】
前記載置台が、板状の部材であり、
前記調整機構が、前記載置台から前記設置面にむけて突出する脚の長さを調整可能な複数の支持脚であることを特徴とする請求項１又は２に記載の作物収容体の重量測定装置。
【請求項４】
前記載置台が、前記重量計を載置する台座と、前記台座の下部を支える複数の分割支持面を有するとともに前記分割支持面どうしを接近および離間させて前記台座を重力方向に沿う方向に昇降させる複数の分割支持台とで構成されており、
前記調整機構が、前記複数の分割支持台を前記分割支持面どうしが接近および離間するように移動させて調整する調整部材で構成されており、
前記連結部材が、前記台座又は分割支持台を前記作物収容体の底部に前記変位可能な状態で連結していることを特徴とする請求項１又は２に記載の作物収容体の重量測定装置。
【請求項５】
前記作物収容体の底部が、四隅に存在する柱状部材と前記柱状部材の底部どうしを連結して支持するとともにフランジ部を有する支持部材とで構成されている場合、
前記連結部材が、前記支持部材のフランジ部に取り付けられていることを特徴とする請求項１に記載の作物収容体の重量測定装置。
【請求項６】
前記作物収容体の底部が、四隅に存在する柱状部材と前記柱状部材の底部どうしを連結して支持するとともにフランジ部を有する支持部材とで構成されている場合、
前記連結部材が、前記支持部材のフランジ部に取り付けられており、
前記介在部材が、前記支持部材のフランジ部に当接して配置されていることを特徴とする請求項２に記載の作物収容体の重量測定装置。
【請求項７】
作物を収容する作物収容体と、前記作物収容体の重量を測定する重量測定装置とを備えた作物収容機であって、
前記重量測定装置が、請求項１乃至６のいずれか１項に記載の作物収容体の重量測定装置で構成されていることを特徴とする作物収容機。
【請求項８】
作物を収容するとともに乾燥させる作物収容体と、前記作物収容体の重量を測定する重量測定装置とを備えた作物乾燥機であって、
前記重量測定装置が、請求項１乃至６のいずれか１項に記載の作物収容体の重量測定装置で構成されていることを特徴とする作物乾燥機。
【発明の詳細な説明】
【技術分野】
【０００１】
この発明は、作物収容体の重量測定装置並びにその重量測定装置を用いた作物収容機および作物乾燥機に関するものである。
【背景技術】
【０００２】
作物を収容する作物収容体の重量（厳密には収容する作物の重量）を測定する技術としては、例えば特許文献１に記載された技術が知られている。
特許文献１（特開２０１７−２１５０６５号公報）には、穀物乾燥機において穀物を貯留する貯留室を有する箱体の底部の四隅で受けるようにロードセル等の重量計を設け、張り込んだ穀物の張込重量をその重量計で測定する技術が記載されている。
【先行技術文献】
【特許文献】
【０００３】
【特許文献１】特開２０１７−２１５０６５号公報（段落００１７、図２）
【発明の概要】
【発明が解決しようとする課題】
【０００４】
しかしながら、特許文献１には、貯留室を有する箱体の底部の四隅に重量計をどのような構成で設けているかについて明示されていない。
また、特許文献１には、地震等の要因により貯留室を有する箱体が揺れ動いたときに重量計が外れにくい構成を採用しているか否かについても明示されていない。
【０００５】
この発明は、作物を収容する作物収容体の重量を計測する重量計が、その作物収容体に取り付けやすく、また地震等の要因により作物収容体が揺れ動いたときでも作物収容体から外れにくいようにすることを技術的課題とする。
【課題を解決するための手段】
【０００６】
本発明の上記課題は、次の解決手段により解決される。
請求項１に記載の発明は、作物を収容する作物収容体の重量を測定する装置であって、
前記作物収容体の底部と前記作物収容体が設置される設置面との間に存在して前記作物収容体の重量を計測する重量計と、
前記重量計を載置する載置面と前記載置面の前記設置面に対する高さを調整する調整機構を有する載置台と、
前記載置台を前記作物収容体の底部と互いに接近し得る方向に変位可能な状態で連結する連結部材と、
を備えていることを特徴とする作物収容体の重量測定装置である。
【０００７】
請求項２に記載の発明は、前記作物収容体の底部と前記重量計の間に介在するよう配置されるとともに前記連結部材により前記作物収容体の底部に連結される介在部材を備え、前記重量計が、前記作物収容体の荷重を受ける突出部を有し、前記介在部材が、前記重量計と向き合う部位に、前記突出部を位置決めして保持する保持部を有し、前記載置台に又は前記載置台および重量計に、前記重量計を前記載置台に位置決めして載置する位置決め手段を設けていることを特徴とする請求項１に記載の作物収容体の重量測定装置である。
請求項３に記載の発明は、前記載置台が、板状の部材であり、前記調整機構が、前記載置台から前記設置面にむけて突出する脚の長さを調整可能な複数の支持脚であることを特徴とする請求項１又は２に記載の作物収容体の重量測定装置である。
請求項４に記載の発明は、前記載置台が、前記重量計を載置する台座と、前記台座の下部を支える複数の分割支持面を有するとともに前記分割支持面どうしを接近および離間させて前記台座を重力方向に沿う方向に昇降させる複数の分割支持台とで構成されており、前記調整機構が、前記複数の分割支持台を前記分割支持面どうしが接近および離間するように移動させて調整する調整部材で構成されており、前記連結部材が、前記台座又は分割支持台を前記作物収容体の底部に前記変位可能な状態で連結していることを特徴とする請求項１又は２に記載の作物収容体の重量測定装置である。
請求項５に記載の発明は、前記作物収容体の底部が、四隅に存在する柱状部材と前記柱状部材の底部どうしを連結して支持するとともにフランジ部を有する支持部材とで構成されている場合、前記連結部材が、前記支持部材のフランジ部に取り付けられていることを特徴とする請求項１に記載の作物収容体の重量測定装置である。
請求項６に記載の発明は、前記作物収容体の底部が、四隅に存在する柱状部材と前記柱状部材の底部どうしを連結して支持するとともにフランジ部を有する支持部材とで構成されている場合、前記連結部材が、前記支持部材のフランジ部に取り付けられており、前記介在部材が、前記支持部材のフランジ部に当接して配置されていることを特徴とする請求項２に記載の作物収容体の重量測定装置である。
【０００８】
請求項７に記載の発明は、作物を収容する作物収容体と、前記作物収容体の重量を測定する重量測定装置とを備えた作物収容機であって、前記重量測定装置が、請求項１乃至６のいずれか１項に記載の作物収容体の重量測定装置で構成されていることを特徴とする作物収容機である。
請求項８に記載の発明は、作物を収容するとともに乾燥させる作物収容体と、前記作物収容体の重量を測定する重量測定装置とを備えた作物乾燥機であって、前記重量測定装置が、請求項１乃至６のいずれか１項に記載の作物収容体の重量測定装置で構成されていることを特徴とする作物乾燥機である。
【発明の効果】
【０００９】
請求項１に記載の発明によれば、作物を収容する作物収容体の重量を計測する重量計が、その作物収容体に取り付けやすく、また地震等の要因により作物収容体が揺れ動いたときでも作物収容体から外れにくいようにすることができる。
【００１０】
請求項２に記載の発明によれば、請求項１に記載の発明による効果に加えて、重量計の突出部に作物収容体の荷重が加わって重量の測定が確実に行えるようになり、重量計の位置ずれや外れの発生も確実に防止することができる。
請求項３に記載の発明によれば、請求項１および２に記載の発明による効果に加えて、簡素な構造の重量測定装置になり、載置台における載置面の高さを容易に調整することができる。
請求項４に記載の発明によれば、請求項１および２に記載の発明による効果に加えて、載置台における載置面の高さを調整する作業数を少なくすることができる。
請求項５に記載の発明によれば、請求項１に記載の発明による効果に加えて、作物収容体の重量を重量計に及ぼしやすくなり、また作物収容体の底部に対する載置台の連結がしやすくなる。
請求項６に記載の発明によれば、請求項２に記載の発明による効果に加えて、作物収容体の重量を重量計により確実に及ぼしやすくなり、また作物収容体の底部に対する載置台および介在部材の連結がしやすくなる。
【００１１】
請求項７に記載の発明によれば、重量計の作物収容体に対する取り付けが容易となり、またその重量計が地震等の要因により作物収容体が揺れ動いたときでも作物収容体から外れにくい重量測定装置を備えた作物収容機を提供することができる。
請求項８に記載の発明によれば、重量計の作物収容体に対する取り付けが容易となり、またその重量計が地震等の要因により作物収容体が揺れ動いたときでも作物収容体から外れにくい重量測定装置を備えた作物乾燥機を提供することができる。
【図面の簡単な説明】
【００１２】
【図１】（Ａ）は実施の形態１に係る重量測定装置等を適用した作物乾燥機の正面側の斜め右上から見たときの外観を示す斜視図、（Ｂ）はその作物乾燥機の背面側の斜め左上から見たときの外観を示す斜視図である。
【図２】作物乾燥機の正面側から見たときの内部を示す概要図である。
【図３】作物乾燥機の右側面側から見たときの内部を示す概要図である。
【図４】重量測定装置の取り付け位置および仕組みを示す概略斜視図である。
【図５】図４の重量測定装置の取り付け状態を拡大して示す概要図である。
【図６】図４の重量測定装置の構成を示す分解斜視図である。
【図７】図６の重量測定装置の一部を組み立てた状態を示す概略斜視図である。
【図８】重量測定装置の構成および取り付けた状態の一部を示す概要図である。
【図９】重量測定装置の使用例を示す概要図である。
【図１０】（Ａ）は重量測定装置の取り付け作業時に使用する隙間検査部材の構成を示す概略斜視図、（Ｂ）はその隙間検査部材の使用例を示す概要図である。
【図１１】（Ａ）は重量測定装置の取り付け作業時に使用する他の隙間検査部材の構成を示す概略斜視図、（Ｂ）はその隙間検査部材のＢ−Ｂ線に沿う断面図、（Ｃ）はその隙間検査部材の使用例を示す概要図である。
【図１２】実施の形態２に係る重量測定装置を示し、（Ａ）はその重量測定装置における重量計および介在部材を示す概要図、（Ｂ）はその重量測定装置の取り付けた状態の一部を示す概要図である。
【図１３】図１２の重量測定装置の変形例を示し、（Ａ）はその重量測定装置における重量計および介在部材を示す概要図、（Ｂ）はその重量測定装置の取り付けた状態の一部と下敷き用の板材を示す概要図である。
【図１４】実施の形態３に係る重量測定装置を示し、（Ａ）はその重量測定装置における載置台等の構成を示す概略斜視図、（Ｂ）はその載置台の構成を示す概要図である。
【図１５】図１４の重量測定装置を取り付けた状態の一部を示す概要図である。
【図１６】実施の形態４に係る重量測定装置を示し、（Ａ）はその重量測定装置における載置台等の構成を示す概略斜視図、（Ｂ）はその載置台の構成を示す概要図である。
【図１７】図１６の重量測定装置を取り付けた状態の一部を示す概要図である。
【図１８】実施の形態４に係る重量測定装置の変形例を示し、（Ａ）はその重量測定装置における載置台、調整機構等の構成を示す概要図、（Ｂ）はその載置台、調整機構等の構成を示す上面概要図である。
【図１９】実施の形態３に係る重量測定装置の変形例を示す概要図である。
【図２０】実施の形態４に係る重量測定装置の別の変形例を示す概要図である。
【発明を実施するための形態】
【００１３】
以下、本発明の実施の形態について、図面を参照しながら説明する。
【００１４】
［実施の形態１］
図１から図５は、本発明の実施の形態１に係る重量測定装置１Ａを適用した作物乾燥機１００を示している。図１から図３はその作物乾燥機１００の外観や内部を示している。また、図４および図５はその重量測定装置１Ａの取り付け位置や概要を示している。
【００１５】
＜作物乾燥機の構成＞
作物乾燥機１００は、上方側に配置されて穀物等の作物を収容する収容室１０１と、収容室１０１の下方側に連続して配置されて作物を乾燥する乾燥室１０２を備えている。
このうち収容室１０１は、直方体状の収容空間を有する箱型の部分である。また、乾燥室１０２は、正面側に配置された燃焼バーナ１０６による熱風を正面側から背面側に通過させる筒状の熱風室１０３と、熱風室１０３を左右から挟んで下方の中央位置で合流するよう設けられて熱風および作物を通過させる流下通路１０４と、流下通路１０４の左右外側に設けられて流下通路１０４を通過した熱風を背面側に配置された排気ファン１０７により吸引する排風室１０５とを有している。収容室１０１と乾燥室１０２は作物収容体を構成するが、作物収容体はその収容室１０１と乾燥室１０２に付属する他の機器も含まれる。
【００１６】
また、作物乾燥機１００は、その正面側に作物を上方に運ぶバケット式の昇降機１０８を備えている。
昇降機１０８は、その下部側において作物を投入する張込ホッパ１０９と接続されており、その上部側において運ばれた作物を収容室１０１に移送する上部移送機１１０と接続されている。上部移送機１１０は、昇降機１０８から受けた作物を収容室１０１の天井部１００ａのほぼ中央の位置まで搬送する搬送路を有し、また、その搬送路の末端部において収容室１０１の内部に入り込んだ位置で回転する拡散羽根１１１を配置している。上部移送機１１０は、その搬送路にて搬送される作物を終端部から収容室１０１に落下させるとともに拡散羽根１１１により収容室１０１内に拡散させながら落下させる。
一方、作物乾燥機１００は、乾燥室１０２の下部に、流下通路１０４を流下して合流した作物を所要の量ずつ繰り出すロータリバルブ等からなる排出装置１１２を設けている。また、排出装置１１２の下方には、繰り出された作物を作物乾燥機１００の正面側に移送するとともに昇降機１０８に送り込む下部移送機１１３を設けている。
【００１７】
さらに、作物乾燥機１００は、その正面側に、制御部を内蔵する操作盤１１４を備えている。
操作盤１１４には、動作状態、動作条件等に関する情報を画面に表示するとともに入力操作を行うことができる表示操作パネルや、以下に例示する各運転の実行や停止を指示するためのスイッチ等が配置されている。操作盤１１４では、張込運転、循環運転、乾燥運転、排出運転等の運転の実行および停止を選択して指示する操作を行うことができる。
【００１８】
ここで、張込運転は、張込ホッパ１０９から投入されて張り込まれた作物を昇降機１０８および上部移送機１１０により収容室１０１に移送して収容する（張り込む）運転である。循環運転は、収容室１０１に収容された作物を排気ファン１０７による通風を行いながら排出装置１１２、下部移送機１１３、昇降機１０８、上部移送機１１０等の駆動により循環移動させる運転である。
また、乾燥運転は、循環運動に加えて、燃焼バーナ１０６を駆動して収容室１０１に収容された作物を循環移動させるとともに乾燥させる運転である。排出運転は、乾燥運転の終了後に、収容室１０１に収容された作物を循環移動させるとともに、昇降機１０８の上端部と上部移送機１１０の間に配置された排出ホッパ１１５における図示しない排出シャッタを開いて張り込んだ作物を機外に排出する運転である。
【００１９】
図１等において符号１１６は収容室１０１の内部を照明する照明装置、符号１１７は収容室１０１の正面壁に上下方向に間隔をあけて設けられて作物の収容量を外部から目視で確認する透視窓、符号１１８は昇降機１０８にて運ばれる作物の一部を採取して水分量を自動で計測する水分計である。また、符号１１９は作物乾燥機１００の点検等の作業を行う際に使用する作業用はしご、符号１２０は作物乾燥機１００を設置する設置面９等において移動させるときに使用するストッパ付きのキャスタを示す。
実施の形態１では、重量測定装置１Ａで得られる重量値の情報と水分計１１８で得られる水分値の情報は、操作盤１１４における表示操作パネルに表示され、また、上記張込運転、乾燥運転等の動作を制御するときに使用されるよう構成されている。
【００２０】
＜重量測定装置の構成＞
次に、重量測定装置１Ａは、作物を収容して乾燥する作物乾燥機１００の重量を測定する装置であり、図４から図８等に示されるように、重量計２と、調整機構４を有する載置台３と、連結部材５とを少なくとも備えている。
また、この重量測定装置１Ａは、図２、図３、図４（Ａ）等に示されるように、作物乾燥機１００の底部１００ｂの四隅に対して、同じ構成からなる重量測定装置１Ａ1，１Ａ2，１Ａ3，１Ａ4をそれぞれ取り付けるよう構成されている。
【００２１】
重量計２は、作物乾燥機１００の底部１００ｂと作物乾燥機１００が設置される設置面９との間に存在して作物乾燥機１００の重量を計測する機器である。
この重量計２は、作物乾燥機１００の重量を計測するとともにその計測結果を出力することができる計測機器であればよく、例えばロードセルが適用される。
【００２２】
実施の形態１における重量計２はロードセルであり、詳しくは図６等に示されるように、内部に図示しない歪ゲージ等の計測部が設けられた円盤形状の本体部２１と、本体部２１の上面の中央位置に突出した状態で変位可能に配置され、作物乾燥機１００の荷重を受けて本体部２１の内部にある計測部に作用させる円柱形状の荷重受け部２２とで構成されている。本体部２１には、計測時の出力電圧を得るための図示しない接続配線が取り付けられている。
【００２３】
載置台３は、図８等に示されるように、重量計２を高さの調整が可能な状態に載置するための構成部分であり、具体的には、重量計２を載置する載置面３ａと、載置面３ａの設置面９に対する高さＨを調整する調整機構４とを有する部材である。
【００２４】
実施の形態１における載置台３は、上面がほぼ平面の載置面３ａである板状の本体部３１と、本体部３１の下面から設置面９にむけて突出する脚の長さＬを調整可能な４本の支持脚４１からなる調整機構４とで構成されている。
載置台３の本体部３１は、平面形状がほぼ矩形状からなる板状の部材である。この本体部３１としては、作物乾燥機１００の荷重を重量計２を介して受けたときに変形しない剛性を有する板状の部材が適用され、例えば、厚手の鉄板が適用される。
また、載置台３の本体部３１には、図６等に示されるように、その四隅付近に調整機構４の４本の支持脚４１をそれぞれ取り付ける４つの取付け孔３２と、その上面のほぼ中心の位置から四方に同じ距離だけ離れた位置に設けられて重量計２の本体部２１を位置決めする位置決め突起３３と、連結部材５を通す通し孔３４とが設けられている。
【００２５】
このうち取付け孔３２は、めねじが形成された貫通孔で構成されている。位置決め突起３３は、円盤状の本体部２１を４方向の外側から挟み込むように保持する円弧状の突起で構成されている。通し孔３４は、本体部３１が連結部材５に対して変位可能な関係に保たれるよう、孔径が連結部材５の断面形状よりも大きい寸法の孔で構成されている。また、通し孔３４は、本体部３１の対角線上で取付け孔３２よりも内側の位置に２つ形成されている。
【００２６】
調整機構４としての４本の支持脚４１はいずれも、図６等に示されるように、おねじが形成された円柱状の脚部４１ａと、脚部４１ａよりも径の大きく脚部４１ａを円柱の中心を回転軸にして回転させる円板状の土台部４１ｂとで構成されている。
【００２７】
このうち脚部４１ａは、図７等に示されるように、載置台３の本体部３１における取付け孔３２にねじにより嵌め入れて取り付けられる。土台部４１ｂは、設置面９等に対する設置の安定化や後述する回転作業を容易化をはかる観点等から、少なくとも下面（座面）の直径が可能な範囲で大きい円板状に構成されている。また、土台部４１ｂは、その円板の外周面（側面）に、例えばスパナ、レンチ等のネジ回し工具を引っ掛けるよう係止させて回転作業を行う際に利用する多角面等の形状が形成されている。
この支持脚４１は、土台部４１ｂをネジ回し工具により所要の方向に回転させると、脚部４１ａのおねじが本体部３１における取付け孔３２のめねじと噛み合って回転し、この結果、図８に示されるように本体部３１が土台部４１ｂの回転方向に応じて所要の量だけ上下方向に昇降するよう変位し、最終的に載置面３ａの設置面９に対する高さＨが増減するよう調整される。
【００２８】
連結部材５は、図５から図８等に示されるように、載置台３を作物乾燥機１００の底部１００ｂと互いに接近し得る方向に変位可能な状態で連結する部材である。互いに接近し得る方向は、例えば、重力方向Ｇにほぼ沿う方向でもある。
【００２９】
実施の形態１における連結部材５は、一対のボルト５１とナット５２が適用されている。ボルト５１は、図６等に示されるように、ボルト頭部５１ａと、ねじ部５１ｃが形成される円柱状の胴部５１ｂで構成されている。
特に胴部５１ｂは、作物乾燥機１００の底部１００ｂにおいて連結部材５を実際に取り付ける部分と重量計２と載置台３との各厚み（高さ）を合計した厚み寸法Ｅに相当する部分にねじ部５１ｃを形成せず、その部分よりも少し下方から始まる下端部にねじ部（おねじ）５１ｃを形成している。
これにより、連結部材５は、胴部５１ｂのねじ部５１ｃにナット５２を取り付けたときに、載置台３に載置された重量計２を作物乾燥機１００の底部１００ｂの取り付け部分に軽く触れさせる程度の状態（締め付けない状態）に保って、その載置台３を作物乾燥機１００の底部１００ｂと連結させることが可能になっている。
【００３０】
ここで、連結部材５の一端部を連結させる作物乾燥機１００の底部１００ｂは、図４や図５等に示されるように、収容室１０１と乾燥室１０２を四隅で支える４本の柱フレーム１３０の下端部と、４本の柱フレーム１３０の下端部を連結して保持する水平方向に延びる連結フレーム１３１とで構成されている。このうち連結フレーム１３１には、各外側にほぼ水平方向に突出するフランジ部１３１ａが形成されている。
また、この底部１００ｂは、隣り合う連結フレーム１３１どうしの間を斜めに連結して固定する、ほぼ三角形状の角部固定板１３２が設けられている。角部固定板１３２の下面には、上記ストッパ付きのキャスタ１２０が取り付けられている。
【００３１】
さらに、この底部１００ｂは、連結フレーム１３１のフランジ部１３１ａのうち柱フレーム１３０に近い位置に、連結部材５としてのボルト５１を通す通し孔１３４が設けられている。
通し孔１３４は、柱フレーム１３０を挟んで１つの載置台３の本体部３１における２つの通し孔３４と向き合う位置関係になるよう連結フレーム１３１のフランジ部１３１ａに形成される。また、通し孔１３４は、連結部材５が連結フレーム１３１のフランジ部１３１ａに対して変位可能な関係に保たれるよう、孔径が連結部材５であるボルト５１の胴部５１ｂよりも大きい寸法の孔で構成されている。
また、重量測定装置１Ａにおける重量計２は、その荷重受け部２２が、作物乾燥機１００の底部１００ｂの四隅における連結フレーム１３１のフランジ部１３１ａの一部に接触するよう構成されている。
【００３２】
連結部材５は、作物乾燥機１００の底部１００ｂに対しては、各柱フレーム１３０の下端部を挟んで隣り合う連結フレーム１３１のフランジ部１３１ａにある各通し孔１３４にボルト５１の胴部５１ｂを通した後、その通し孔１３４の周囲のフランジ部１３１ａに頭部５１ａを接触させた状態で取り付けられる。
この際、連結部材５のボルト５１は、連結フレーム１３１のフランジ部１３１ａにある各通し孔１３４に対して変位可能な状態になっている。
【００３３】
＜重量測定装置の作物乾燥機への取り付け＞
この重量測定装置１Ａ（１Ａ1，１Ａ2，１Ａ3，１Ａ4）は、作物乾燥機１００の底部１００ｂの四隅に対して、例えば以下に説明する手順で作業することで取り付けられる。
【００３４】
まず、重量測定装置１Ａにおける載置台３の本体部３１について、図７に示されるように、その取付け孔３２に調整機構４としての支持脚４１を取り付ける一方で、その載置面３ａに重量計２を載置する。
【００３５】
この際、支持脚４１は、その脚部４１ａを本体部３１の取付け孔３２に適当な量だけねじを介して嵌め入れて仮止めの状態になるよう取り付けられる。またこの際、重量計２は、その本体部２１が、載置台３の載置面３ａにおいて位置決め突起３３により外側から保持された状態になって位置決めされる。
【００３６】
続いて、重量測定装置１Ａにおける調整機構４の支持脚４１を取り付けた状態でかつ重量計２を載置した状態の載置台３の本体部３１を、作物乾燥機１００の底部１００ｂの四隅と設置面９との間にそれぞれ１台ずつ介在させるように配置する。
この場合、重量測定装置１Ａの設置は、作物乾燥機１００の底部１００ｂの四隅における連結フレーム１３１と設置面９との隙間空間に各重量測定装置１Ａをそれぞれ侵入させた後、各重量測定装置１Ａにおける支持脚４１をネジ回し工具で回すことにより、重量計２が連結フレーム１３１のフランジ部１３１ａに当接するまで載置台３を上昇移動させることで行われる。
また、このときの重量測定装置１Ａの設置は、例えば、作物乾燥機１００の底部１００ｂを例えばジャッキ等の昇降装置により設置面９から所要の高さだけ持ち上げて浮かせた状態にした後、その底部１００ｂの四隅における連結フレーム１３１と設置面９との隙間空間に各重量測定装置１Ａをそれぞれ侵入させ、最後に昇降装置による作物乾燥機１００の持ち上げ状態を解除して重量計２が連結フレーム１３１のフランジ部１３１ａに当接する状態になるよう設置してもよい。
【００３７】
この重量測定装置１Ａの設置に際しては、載置台３の本体部３１は、その２つの通し孔３４が底部１００ｂの四隅における連結フレーム１３１にある通し孔１３４と対向して合致するように調整して配置する。
またこの際、連結部材５であるボルト５１を、四隅の隣り合う各連結フレーム１３１における通し孔１３４を通した後に、載置台３の本体部３１における各通し孔３４に通して取り付ける。連結部材５であるナット５２については、この段階でボルト５１に仮の状態で取り付けるか、又は後述する最後の段階でボルト５１に正式に取り付けるようにする。
【００３８】
上記したように設置された４つの重量測定装置１Ａは、図５や図８に示されるように、各載置台３の本体部３１の載置面３ａに載置された各重量計２の荷重受け部２２が、作物乾燥機１００の底部１００ｂの四隅にある柱フレーム１３０を挟んだ両隣の連結フレーム１３１におけるフランジ部１３１ａの一部にそれぞれ接触した状態になる。
なお、この重量測定装置１Ａは、その載置台３が、作物乾燥機１００の底部１００ｂの四隅にあるキャスタ１２０と接触して干渉することがない位置に設置され、例えばそのキャスタ１２０と隣接した状態で存在するようになる。
【００３９】
最後に、各重量測定装置１Ａは、各載置台３における調整機構４としての４本の支持脚４１をネジ回し工具により土台部４１ｂを設置面９の上で所要の方向に回転させることにより、各載置台３の本体部３１を上下のいずれかの方向に所要量だけ昇降させて変位させることで、載置面３ａの設置面９に対する高さＨが所望の状態に調整される。
【００４０】
このときの載置面３ａの高さＨは、少なくとも設置面３ａが水平になるような高さ寸法である。また、この高さＨは、各重量計２の荷重受け部２２が、作物乾燥機１００の底部１００ｂの四隅における連結フレーム１３１の一部に確実に接触した状態に保たれるようにするために必要な高さになる。
また、このときの支持脚４１の土台部４１ｂをネジ回し工具により回転させる作業は、以下の要因により行いやすい。その要因とは、例えば、各重量測定装置１Ａが作物乾燥機１００の底部１００ｂの四隅に設置されていることや、支持脚４１の土台部４１ｂが載置台３の本体部３１の下方に露出した状態で存在していることや、設置面９における各重量測定装置１Ａの周囲には特に障害物もないこと等の要因である。また、ことのきの支持脚４１の土台部４１ｂを回転させる作業は、ネジ回し工具を利用することが可能であることから、比較的少ない力でかつ容易に行うことができる。
【００４１】
また最後に、各重量測定装置１Ａは、調整機構４の調整により載置台３の載置面３ａの高さＨが確定した後に、連結部材５であるボルト５１のねじ部５１ｃにナット５２を正式に取り付ける。
【００４２】
この際、ナット５２をボルト５１のねじ部５１ｃの最上部まで取り付けて閉め切るようにした場合でも、載置台３に載置された重量計２は、作物乾燥機１００の底部１００ｂの四隅における各連結フレーム１３１のフランジ部１３１ａに軽く触れる程度になり、締め付けられることのない状態に保たれる。
またこの際、連結部材５であるボルト５１は、図８に示されるように、ボルト５１の胴部５１ｂのうちねじ部５１ｃがない部分（非ねじ部）が、載置台３における通し孔３４と作物乾燥機１００の底部１００ｂのフランジ部１３１ａにおける通し孔１３４との双方に隙間をもって対峙するので、載置台３と底部１００ｂのフランジ部１３１ａとがボルト５１の胴部５１ｂに沿って互いに接近する方向Ｊ１，Ｊ２にそれぞれ変位し得る状態にも保たれる。
これにより、各重量測定装置１Ａは、図８に示されるように、連結部材５による連結を行うと、重量計２を載置した載置台３と作物乾燥機１００の底部１００ｂの四隅における各連結フレーム１３１とが、互いに接近する方向Ｊ１，Ｊ２にそれぞれ変位し得る状態で連結される。
【００４３】
以上の手順での作業を経ることにより、４つの重量測定装置１Ａ（１Ａ1，１Ａ2，１Ａ3，１Ａ4）は、図２から図５等に示されるように作物乾燥機１００の底部１００ｂの四隅に取り付けられる。
【００４４】
したがって、この重量測定装置１Ａは、重量計２を作物収容体である作物乾燥機１００の底部１００ｂに取り付ける際、調整機構４を有する載置台３に重量計２を載置した載置台３を、作物乾燥機１００の底部１００ｂと設置面９との間に設置した後、連結部材５により作物乾燥機１００の底部１００ｂと連結させるだけでよい。
このため、重量測定装置１Ａによれば、特殊な作業を行うことや特殊な工具等の機器を用いることが要求されることなく、作物乾燥機１００の底部１００ｂに対して容易に取り付けることができる。
【００４５】
また、この重量測定装置１Ａは、重量計２を載置した載置台３と作物乾燥機１００の底部１００ｂの四隅における各連結フレーム３１とが連結部材５により連結された状態にある。
このため、重量測定装置１Ａによれば、地震等の要因により作物収容体である作物乾燥機１００が揺れ動いたときでも、載置台３と作物乾燥機１００の底部１００ｂとの水平方向における位置関係が連結部材５で保持されるので、その重量計２等が作物乾燥機１００から外れにくくなる。この際、重量計２は、載置台３の載置面３ａに位置決め突起３３で保持されているので、これによっても作物乾燥機１００から外れにくくなる。
【００４６】
そして、この重量測定装置１Ａは、重量計２を載置した載置台３と作物乾燥機１００の底部１００ｂの四隅における各連結フレーム３１とが、連結部材５により互いに接近する方向Ｊ１，Ｊ２にそれぞれ変位し得るフリーな状態で連結されている。
このため、作物乾燥機１００の荷重は、設置面９に設置されている載置台３に載置されている重量計２（の荷重受け部２２）に対して及ぶことになる。この結果、重量測定装置１Ａは、作物乾燥機１００の重量を重量計２を介して計測することができる。
【００４７】
ちなみに、実施の形態１では、作物乾燥機１００の重量の測定について、図４等に示されるように４つの重量測定装置１Ａ（１Ａ1，１Ａ2，１Ａ3，１Ａ4）を作物乾燥機１００の底部１００ｂの四隅に設置することにより行っている。
この場合、４つの重量測定装置１Ａ（１Ａ1，１Ａ2，１Ａ3，１Ａ4）は、実際のところ、図９に示されるように、そのロードセルである各重量計２をその接続配線を介して変換器２５に接続したうえで、その変換器２５により、各重量計２のロードセルの計測部に動作電圧を印加するとともに計測部からの出力電圧を入手して重量の結果を算出するように構成されている。
【００４８】
このときの重量の結果は、例えば、４つの重量計２のロードセルから得られる４つの出力電圧（重量情報）を変換器２５において合算することで又は平均値を出すことで得られる数値を、作物乾燥機１００の重量として算出されるようになっている。
また、重量測定装置１Ａで測定された作物乾燥機１００の重量の情報は、例えば、図９に例示されるように、変換器２５から操作盤１１４における制御部１２１に送信されて使用される。
【００４９】
＜重量測定装置の取り付け作業時に使用の隙間検査器具＞
上記重量測定装置１Ａの取り付け作業においては、例えば、図１０に示される隙間検査器具８０を使用することができる。
【００５０】
隙間検査器具８０は、図１０（Ｂ）に示されるように、作物乾燥機１００の底部１００ｂに設置したときの重量測定装置１Ａにおける重量計２の本体部２１と、作物乾燥機１００の底部１００ｂにおける連結フレーム１３１のフランジ部１３１ａとの間に十分な隙間が確保されているか否かを検査する器具である。
【００５１】
図１０に例示する隙間検査器具８０は、厚さが重量計２の突起部である荷重受け部２２の高さよりも薄くかつ平面形状がＹ字状の形状からなる板状の部材として構成されている。具体的には、隙間検査器具８０は、重量計２の本体部２１の上面２１ａに荷重受け部２２を挟んだ状態で載置する一対の検査部８１ａ，８１ｂと、一対の検査部８１ａ，８１ｂの間に荷重受け部２２を侵入させて収容する収容凹部８２と、作業員等が手で掴む把持部８３とを有した板状の部材である。
【００５２】
この隙間検査器具８０は、例えば、次のように使用される。
【００５３】
まず、隙間検査器具８０は、重量測定装置１Ａの取り付け作業において重量測定装置１Ａの上に作物乾燥機１００を設置するに先立って、図１０に示されるように、載置台３に載置された重量計２の本体部２１の上面２１ａに、一対の検査部８１ａ，８１ｂが存在するような状態で載せておく。
続いて、隙間検査器具８０は、重量測定装置１Ａの上に実際に作物乾燥機１００の底部１００ｂ（連結フレーム１３１のフランジ部１３１ａ）を設置した後に、引き抜いて除去される。
【００５４】
この際、隙間検査器具８０を引き抜くことができた場合は、重量計２の本体部２１と連結フレーム１３１のフランジ部１３１ａとの間に十分な隙間が確保されており、両者が傾いておらず非接触の状態にあることがわかる。
この場合は、重量測定装置１Ａが正常な状態で取り付けられていることがわかる。また、この場合は、重量計２の荷重受け部２２が作物乾燥機１００の荷重を正常に受ける状態にあって、重量測定装置１Ａが作物乾燥機１００の重量を正常に測定できる状態にあることもわかる。
【００５５】
一方、隙間検査器具８０を引き抜くことができない場合は、重量計２の本体部２１と連結フレーム１３１のフランジ部１３１ａとの間に十分な隙間が確保されておらず、その両者の少なくとも一方が傾いた状態にあるか又はその両者が一部で接触し得る状態にあることが推測される。
この場合は、重量測定装置１Ａは、正常な状態で取り付けられていないことがわかる。また、この場合は、その重量計２の荷重受け部２２が作物乾燥機１００の荷重を正常に受けることができない状態にあって、重量測定装置１Ａが作物乾燥機１００の重量を正常に測定できない状態にあることもわかる。
そして、この場合は、例えば、重量測定装置１Ａの載置台３における調整機構４による必要な調整を行えば、重量測定装置１Ａの取り付けが正常に完了するよう対処することができる。
【００５６】
図１１に示す隙間検査器具８０Ｂは、図１０（Ａ）に示す隙間検査器具８０に、重量計２の本体部２１の上面２１ａと作物乾燥機１００の底部１００ｂにおける連結フレーム１３１のフランジ部１３１ａとの隙間の高さｈｘを点検する点検治具８５が付設されたものである。
【００５７】
点検治具８５は、図１１（Ｂ）に示されるように、一対の検査部８１ａ，８１ｂの片面（下面）からの高さｈｍが予め特定された寸法になるような点検面８５ａを有する形態に形成された部材である。点検治具８５の点検面８５ａの高さｈｍは、例えば、重量計２の本体部２１の上面２１ａから荷重受け部２２の突出した高さｈｋとほぼ同じ寸法に設定されている。
【００５８】
この隙間検査器具８０Ｂは、例えば、次のように使用される。
【００５９】
隙間検査器具８０Ｂは、重量測定装置１Ａの取り付け作業において重量測定装置１Ａの上に作物乾燥機１００を設置した後、図１１（Ｃ）に示されるように、載置台３に載置された重量計２の本体部２１の上面２１ａと作物乾燥機１００の底部１００ｂにおける連結フレーム１３１のフランジ部１３１ａとの間に向けて、一対の検査部８１ａ，８１ｂが本体部２１の上面２１ａに存在する状態になるよう挿し込む。
【００６０】
この際、隙間検査器具８０Ｂを円滑に挿し込むことができた場合は、重量計２の本体部２１と連結フレーム１３１のフランジ部１３１ａとの間の隙間の高さｈｘが点検治具８５の高さｈｍと（この例では重量計２の荷重受け部２２の突出高さｈｋとも）ほぼ同じ高さであり、その両者間に十分な隙間が確保されていることがわかる。
また、この場合は、重量計２の本体部２１と連結フレーム１３１のフランジ部１３１ａとが、極度に傾いていることなくほぼ平行の状態にあることや、重量計２の荷重受け部２２が連結フレーム１３１のフランジ部１３１ａにほぼ正常に接触していることを推測することができる。
【００６１】
一方、隙間検査器具８０Ｂを円滑に又は全く挿し込むことができなかった場合は、重量計２の本体部２１と連結フレーム１３１のフランジ部１３１ａとの間の隙間の高さｈｘが点検治具８５の高さｈｍより少なくとも低い状態にあり、その両者間に十分な隙間が確保されていないことがわかる。
また、この場合は、重量計２の本体部２１と連結フレーム１３１のフランジ部１３１ａとの少なくとも一方が傾いた状態にあることや、重量計２の荷重受け部２２が連結フレーム１３１のフランジ部１３１ａに正常に接触していない可能性があることを推測することができる。
そして、この場合は、例えば、重量測定装置１Ａの載置台３における調整機構４による必要な調整を行えば、重量測定装置１Ａの取り付けが正常に完了するよう対処することができる。
【００６２】
［実施の形態２］
図１２は、本発明の実施の形態２に係る重量測定装置１Ｂを示すものである。
この重量測定装置１Ｂは、作物乾燥機１００の底部１００ｂと重量計２の間に介在するよう配置する介在部材６が追加されて異なる以外は実施の形態１に係る重量測定装置１Ａと同じ構成からなるものである。
【００６３】
介在部材６は、板状の本体部６１と、その本体部６１の重量計２と向き合う部位（下面）６ｂに設けられて重量計２の突出部である荷重受け部２２を位置決めして保持する保持部６２とを有する部材である。
また、介在部材６は、連結部材５により作物乾燥機１００の底部１００ｂに連結されるものである。このため、本体部６１には、連結部材５としてのボルト５１の胴部５１ｂを変位可能に通す通し孔６３が２つ設けられている。この２つの通し孔６３は、載置台３における連結部材５を通す通し孔３４と対応する位置および数だけ設けられている。
【００６４】
本体部３１は、重量測定装置１Ａを取り付ける作物乾燥機１００の底部１００ｂの四隅の形状に適合する形状からなる部材が適用される。実施の形態２では、本体部３１として、平面形状からなる板材を適用している。
保持部６２は、内側に重量計２の荷重受け部２２の一部（上部）を収容して保持する凹部６４を有する円筒状の部分であって、その凹部６４の内壁面６４ａが上方に向かうにつれて互いに接近するように傾斜するテーパー面で形成されている部分である。
この凹部６４は、その上端６４ｂが、重量計２の荷重受け部２２の上端面２２ａとほぼ同じ直径からなる円形の面（実際には本体部６１の下面）として形成されている。また、凹部６４の深さ（高さ）は、重量計２の荷重受け部２２をその下部を収容して保持することができる寸法であればよいが、少なくとも荷重受け部２２の突出高さｈｋよりも小さい寸法に設定されている。
【００６５】
＜重量測定装置の作物乾燥機への取り付け＞
この介在部材６を備えた重量測定装置１Ｂは、作物乾燥機１００の底部１００ｂの四隅における各連結フレーム１３１のフランジ部１３１ａへの取り付けに際しては、以下の点で異なるのみで、それ以外は実施の形態１に係る重量測定装置１Ａの場合とほぼ同様である。
【００６６】
すなわち、この重量測定装置１Ｂでは、図１２（Ｂ）に示されるように、重量測定装置１Ｂにおける調整機構４の支持脚４１を取り付けた状態でかつ重量計２を載置した状態の載置台３の本体部３１を、作物乾燥機１００の底部１００ｂの四隅と設置面９との間に介在させるように配置する際、重量計２と作物乾燥機１００の底部１００ｂの四隅との間に介在部材６を更に介在させた状態でそれぞれ配置する。
具体的には、重量測定装置１Ｂは、載置台３の本体部３１に載置された重量計２の荷重受け部２２を保持部６２の凹部６４に保持させた状態になるよう介在部材６を加えた状態で、作物乾燥機１００の底部１００ｂと設置面９との間に介在させるよう設置する。
なお、この重量測定装置１Ｂの場合も、同じ構成からなる４つの重量測定装置１Ｂを取り付けることになる。
【００６７】
この際、介在部材６の本体部６１は、その２つの通し孔６３が底部１００ｂの四隅における柱フレーム１３０を挟んだ両隣の連結フレーム１３１のフランジ部１３１ａに接触させた状態にするとともに、そのフランジ部１３１ａにある通し孔１３４と対向して合致するように調整して配置する。またこの際、連結部材５であるボルト５１を、四隅の隣り合う各連結フレーム１３１における通し孔１３４を通した後に、介在部材６の本体部６１における各通し孔６３を通し、さらに載置台３の本体部３１における各通し孔３４に通して取り付ける。
【００６８】
最後に、この重量測定装置１Ｂにおいても、調整機構４としての４本の支持脚４１を所要の方向に回転させることにより載置面３ａの設置面９に対する高さＨが所望の状態に調整された後に、連結部材５であるボルト５１のねじ部５１ｃにナット５２が取り付けられる。この重量測定装置１Ｂにおける連結部材５のボルト５１は、介在部材６が追加される分だけ胴部５１ｂのねじ山が形成されない部分の長さ（厚み寸法Ｅ）が長くなる。
以上により、４つの重量測定装置１Ｂは、図２から図４、図８等に示されるように作物乾燥機１００の底部１００ｂの四隅に取り付けられる。
【００６９】
そして、この重量測定装置１Ｂの場合においても、特殊な作業を行うことや特殊な工具等の機器を用いることが要求されることなく、作物乾燥機１００の底部１００ｂに対して容易に取り付けることができる。
また、重量測定装置１Ｂの場合においては、地震等の要因により作物収容体である作物乾燥機１００が揺れ動いたときでも、載置台３と介在部材６と作物乾燥機１００の底部１００ｂとの水平方向における位置関係が連結部材５で保持されるので、その重量計２等が作物乾燥機１００から外れにくくなる。
さらに、重量測定装置１Ｂの場合においては、重量計２の荷重受け部２２が介在部材６における保持部６２のテーパー内壁面６４ａからなる凹部６４に保持されるので、作物乾燥機１００の荷重が重量計２の荷重受け部２２に確実に加わって作物乾燥機１００の重量の測定が確実に行えるようになり、重量計２の位置ずれや外れの発生もより確実に防止されるようになる。
【００７０】
このテーパー内壁面６４ａからなる凹部６４が形成された保持部６２を有する介在部材６を適用する場合は、重量計２の荷重受け部２２を凹部６４のテーパー内壁面６４ａに適合するように円錐台の周面のごとく傾斜したテーパー面からなる外形の突出部として構成してもよい。
このような形状に構成した荷重受け部２２を有する重量計２を適用したときは、重量計２が介在部材６の保持部６２からより一層外れにくくなる。
【００７１】
なお、上記重量測定装置１Ｂにおいては、重量計２と保持部６２を有する介在部材６とに代えて、図１３（Ａ）に示される重量計２Ｂと保持部６２Ｂを有する介在部材６Ｂを適用することも可能である。
【００７２】
重量計２Ｂは、荷重受け部２２として、おねじ２３を形成した荷重受け部２２Ｂを採用した重量計である。
介在部材６Ｂは、保持部６２Ｂとして、重量計２Ｂのおねじ２３が形成された荷重受け部２２Ｂの一部（上部）をねじにより保持するめねじ６５を形成した凹部６４Ｂを採用した介在部材である。
【００７３】
この重量計２Ｂと介在部材６Ｂを適用した重量測定装置１Ｂは、作物乾燥機１００の底部１００ｂの四隅における各連結フレーム１３１のフランジ部１３１ａへの取り付けに際しては、上記重量計２と介在部材６を適用する重量測定装置１Ｂの場合と対比したとき、以下の保持状態が異なるのみである。
すなわち、この場合は、図１３（Ｂ）に示されるように、載置台３の本体部３１に載置された重量計２Ｂの荷重受け部２２Ｂが、介在部材６Ｂの保持部６２Ｂの凹部６４Ｂに対しておねじ２３とめねじ６５とのねじの結合により保持された状態になる。
【００７４】
これにより、この重量測定装置１Ｂの場合には、重量計２Ｂの荷重受け部２２Ｂが介在部材６Ｂにおける保持部６２Ｂの凹部６４Ｂにねじの結合により保持されるので、作物乾燥機１００の荷重が重量計２Ｂの荷重受け部２２Ｂにより的確に加わって作物乾燥機１００の重量の測定が確実に行えるようになり、また重量計２Ｂの位置ずれや外れの発生もより一層確実に防止されるようになる。
【００７５】
また、上記重量測定装置１Ｂにおいては、作物乾燥機１００の底部１００ｂへの取り付けに際して、図１３（Ｂ）に示されるように、設置面９に下敷き用の板材８８を置いたうえで取り付けるようにしてもよい。
この下敷き用の板材８８は、作物乾燥機１００からの荷重を受けるに足る機械的強度を有するとともに、錆びにくい物性を有する板状の部材が適用される。このような下敷き用の板材８８としては、例えば、ステンレス鋼板、ボンデ鋼板等が使用される。また、下敷き用の板材８８は、例えば、載置台３の底面の面積よりも広い表面積からなる板や、重量計２（本体部２１）の底面の面積の５倍以上の表面積からなる板を使用するとよい。
【００７６】
この下敷き用の板材８８を用いて重量測定装置１Ｂの取り付けを行う場合は、図１３（Ｂ）に示されるように載置台３における調整機構４の支持脚４１の土台部４１ｂが下敷き用の板材８８に接触した状態になる。
これにより、支持脚４１の土台部４１ｂは、設置面９に比べてほぼ同質の表面と接触して安定して設置されるようになる。また、支持脚４１の土台部４１ｂは、調整機構４による調整で回転させる際に下敷き用の板材８８から受ける摩擦抵抗が設置面９に比べて小さくなって回しやすくなる。
【００７７】
なお、この下敷き用の板材８８は、実施の形態１，２に係る他の重量測定装置１Ａ，１Ｂの取り付けの際や後述する他の種類の重量測定装置１の取り付けの際にも、同様に用いることができる。
また、この下敷き用の板材８８を用いる場合、各重量測定装置における調整機構４により調整する載置面３ａの設置面９に対する高さＨについては、下敷き用の板材８８の厚さを考慮して設定される。
【００７８】
［実施の形態３］
図１４および図１５は、本発明の実施の形態３に係る重量測定装置１Ｃを示すものである。図１４は重量測定装置１Ｃにおける載置台の構成を示し、図１５は重量測定装置１Ｃの取り付けた状態の一部を示している。
この重量測定装置１Ｃは、調整機構４を有する載置台３として、異なる構成からなる調整機構４Ｂを有する載置台７を適用して変更した以外は実施の形態１に係る重量測定装置１Ａと同じ構成からなるものである。
【００７９】
重量測定装置１Ｃにおける載置台７は、図１４に示されるように、重量計２を載置する台座７１と、台座７１の下部を支える２つの分割支持台７２，７３とで構成される分割形式の載置台である。
【００８０】
このうち台座７１は、図１４に示されるように、矩形状の上面部７１ａと、上面部７１ａの中央の下方で線状に交わる２つの傾斜底面部７１ｂ，７１ｃと、上面部７１ａと傾斜底面部７１ｂ，７１ｃをつなぐ前後の側面７１ｄと左右の側面７１ｆ、７１ｇとを有する構造物である。
上面部７１ａは、重量計２を載置する載置面を含む部分である。また、上面部７１ａには、重量計２の円盤状の本体部２１の下部を嵌め入れて位置決めして保持する円盤状の位置決め凹部３５が設けられている。このため、上面部７１ａにおける実際の載置面７ａは、位置決め凹部３５の底面３５ａになる。
２つの傾斜底面部７１ｂ，７１ｃは、左右側面の側から見たときに下方に凸になる湾曲した面で形成されている。この傾斜底面部７１ｂ，７１ｃにおける湾曲した面は、分割支持台７２，７３における後述する分割支持面（７２ａ，７３ａ）と対応する形状になっている。また、傾斜底面部７１ｂ，７１ｃにおける湾曲した面は、上面部７１ａの中央の下方において、下方に凸になる湾曲線を形成するよう交わっている。
【００８１】
また、分割支持台７２，７３は、台座７１の下部（傾斜底面部７１ｂ，７１ｃ）をそれぞれ分配して支える分割支持面７２ａ，７３ａを有しているとともに、その分割支持面７２ａ，７３ａどうしを両方向の実線矢印Ｍや破線矢印Ｎで示すように接近および離間させて台座７１を重力方向Ｇに沿う方向Ｑ１，Ｑ２に昇降させる支持台である。
分割支持台７２における分割支持面７２ａは、台座７１の一方の傾斜底面部７１ｂを支える傾斜支持面である。分割支持台７３における分割支持面７３ａは、台座７１の他方の傾斜底面部７１ｃを支える傾斜支持面である。この分割支持面７２ａ，７３ａはいずれも、台座７１の２つの傾斜底面部７１ｂ，７１ｃとそれぞれ対応する湾曲した傾斜面として形成されている。
この分割支持台７２，７３は、例えば、直方体状の部材の上面および一側面の一部にわたって、傾斜かつ湾曲した面形状からなる分割支持面７２ａ，７３ａを形成したような部材である。
【００８２】
また、載置台７における調整機構４Ｂは、２つの分割支持台７２，７３を分割支持面７２ａ，７３ａどうしが接近および離間するように移動させて調整する調整部材４３，４４により構成されている。
調整部材４３，４４はいずれも、頭部４３ａ等を有するとともにおねじを形成した丸棒状のボルトである。この調整部材４３，４４は、分割支持台７２，７３に２つずつ設けられる図示しない各取り付けねじ孔をそれぞれ通過させるような状態で取り付けることにより、分割支持台７２，７３を間隔をあけて連結させた状態にしている。
分割支持台７２における取り付けねじ孔と分割支持台７３における取り付けねじ孔とは、お互いに図示しないめねじが形成されているが、その一方が逆ねじの関係になるめねじで形成されている。これにより、調整部材４３，４４を一方向に回転させたときに、分割支持台７２，７３が互いに接近する方向に移動するか又は互いに離間する方向に移動するようになる。
【００８３】
ここで、載置台７の台座７１は、調整部材４３，４４を分割支持台７２，７３が互いに接近する方向Ｍに移動するように回転させたときに実線矢印Ｑ１で示すように上昇し、また、調整部材４３，４４を分割支持台７２，７３が互いに離間する方向Ｎに移動するように回転させたときに破線矢印Ｑ２で示すように下降するようになっている。これにより、載置台７の載置面７ａの設置面９に対する高さＨの調整が可能になる。
また、この載置台７を用いる場合、重量測定装置１Ｃにおける調整機構４Ｂにより調整する載置面７ａの設置面９に対する高さＨについては、図１４（Ｂ）に示されるように、台座７１の位置決め凹部３５の底面３５ａと設置面９との距離になることを考慮して設定される。
【００８４】
さらに、載置台７は、図１５に示されるように、連結部材５により分割支持台７２，７３を作物乾燥機１００の底部１００ｂと互いに接近し得る方向Ｊ１，Ｊ２に変位可能な状態で連結するようになっている。
このため、載置台７は、分割支持台７２，７３の外側の側面に、連結部材５としてのボルト５１の胴部５１ｂを通す通し孔７４が形成された連結支持突起７５がそれぞれ設けられている。連結支持突起７５における通し孔７４は、分割支持台７２，７３の接近および離間するときの移動量を考慮した長孔で形成されている。
また、この重量測定装置１Ｃにおける連結部材５のボルト５１は、作物乾燥機１００の底部１００ｂにおいて連結部材５を実際に取り付ける部分と重量計２と載置台７の連結支持突起７５との各厚み（高さ）を合計した厚み寸法Ｅに相当する部分にねじ部５１ｃを形成せず、その部分よりも少し下方から始まる下端部にねじ部（おねじ）５１ｃを形成したものが適用される。
【００８５】
＜重量測定装置の作物乾燥機への取り付け＞
この調整機構４Ｂを有する載置台７を備えた重量測定装置１Ｃは、作物乾燥機１００の底部１００ｂの四隅における各連結フレーム１３１のフランジ部１３１ａへの取り付けに際しては、以下の点で異なるのみで、それ以外は実施の形態１に係る重量測定装置１Ａの場合とほぼ同様である。
【００８６】
すなわち、この重量測定装置１Ｃでは、図１４に示されるように、まず調整機構４Ｂの調整部材４３，４４により連結した分割支持台７２，７３における分割支持面７２ａ，７３ａ上に台座７１を載せることにより、載置台７を組み立てる。しかる後、台座７１の上面部７１ａにある位置決め凹部３５に重量計２を嵌め入れて載置する。これにより、重量計２が載置台７の載置面７ａに載置されたことになる。
ちなみに、この重量測定装置１Ｃの場合も、同じ構成からなる４つの重量測定装置１Ｃを取り付けることになる。
【００８７】
この際、調整部材４３，４４は、分割支持台７２，７３が所要の隙間をあけた状態で対峙するよう適当な量だけ回転させて仮止めの状態に取り付けられる。またこの際、重量計２は、その本体部２１が、台座７１の位置決め凹部３５に嵌め入れられることで外側から保持された状態になって位置決めされる。
【００８８】
続いて、重量測定装置１Ｃにおける調整機構４Ｂの調整部材４３，４４で連結されるとともに重量計２が載置された状態の分割形式の載置台７を、持ち上げた状態の作物乾燥機１００の底部１００ｂの四隅と設置面９との間に介在させるように配置する。
【００８９】
この際、載置台７は、その２つ分割支持台７２，７３にある連結支持突起７５の通し孔７４が、底部１００ｂの四隅における連結フレーム１３１にある通し孔１３４と対向して合致するように調整して配置する。またこの際、連結部材５であるボルト５１を、四隅の隣り合う各連結フレーム１３１における通し孔１３４を通した後に、載置台７の分割支持台７２，７３の連結支持突起７５における各通し孔７４に通して取り付ける。
【００９０】
続いて、持ち上げた状態の作物乾燥機１００を下降させる。
これにより、重量測定装置１Ｃは、図１５に示されるように、載置台７の台座７１の載置面７ａに載置された重量計２の荷重受け部２２が作物乾燥機１００の底部１００ｂの四隅にある連結フレーム１３１の一部に接触した状態になる。
【００９１】
最後に、重量測定装置１Ｃは、載置台７における調整機構４Ｂとしての２本の調整部材４３，４４をネジ回し工具により所要の方向に回転させることにより、分割支持台７２，７３を接近又は離間する方向に移動させて台座７１を上下のいずれかの方向に所要量だけ昇降させて変位させる。
これにより、台座７１における載置面７ａの設置面９に対する高さＨが所望の状態に調整される。
【００９２】
また最後に、重量測定装置１Ｃは、調整機構４Ｂの調整により載置台７の載置面７ａの高さＨが確定した後に、連結部材５であるボルト５１のねじ部５１ｃにナット５２を正式に取り付ける。
この際、ナット５２をボルト５１のねじ部５１ｃの最上部まで取り付けて締め切るようにした場合でも、載置台７に載置された重量計２は、作物乾燥機１００の底部１００ｂの四隅における各連結フレーム１３１のフランジ部１３１ａに軽く触れる程度になり、締め付けられることのない状態に保たれる。
【００９３】
またこの際、連結部材５であるボルト５１は、図１５に示されるように、ボルト５１の胴部５１ｂのうちねじ部５１ｃがない部分（非ねじ部）が、載置台７の連結支持突起７５における通し孔７４と作物乾燥機１００の底部１００ｂのフランジ部１３１ａにおける通し孔１３４との双方に隙間をもって対峙するので、載置台７（台座７１および分割支持台７２，７３）と底部１００ｂのフランジ部１３１ａとがボルト５１の胴部５１ｂに沿って互いに接近する方向Ｊ１，Ｊ２にそれぞれ変位し得る状態にも保たれる。
これにより、重量測定装置１Ｃは、図１５に示されるように、連結部材５による連結を行うと、重量計２を載置した載置台７と作物乾燥機１００の底部１００ｂの四隅における各連結フレーム１３１とが、互いに接近する方向Ｊ１，Ｊ２にそれぞれ変位し得る状態で連結される。
【００９４】
以上により、４つの重量測定装置１Ｃは、図２、図３、図１５等に示されるように作物乾燥機１００の底部１００ｂの四隅に取り付けられる。
【００９５】
そして、この重量測定装置１Ｃの場合においても、特殊な作業を行うことや特殊な工具等の機器を用いることが要求されることなく、作物乾燥機１００の底部１００ｂに対して容易に取り付けることができる。
【００９６】
また、重量測定装置１Ｃの場合においては、地震等の要因により作物収容体である作物乾燥機１００が揺れ動いたときでも、載置台７（実際には分割支持台７２，７３）と作物乾燥機１００の底部１００ｂとの水平方向における位置関係が連結部材５で保持されるので、その重量計２等が作物乾燥機１００から外れにくくなる。この際、重量計２は、載置台７における台座７１の位置決め凹部３５で嵌め入れられて保持されているので、これによっても作物乾燥機１００から外れにくくなる。
【００９７】
さらに、重量測定装置１Ｃの場合においては、載置台７の台座７１の傾斜底面部７１ｂ，７１ｃと分割支持台７２，７３における傾斜した分割支持面７２ａ，７３ａとが中央部において下方に凸となる湾曲面で構成されて接触しているので、台座７１が分割支持台７２，７３における傾斜した分割支持面７２ａ，７３ａに安定して支持されているとともに外力が加わっても微量に移動して外力を吸収するようなる。このことによっても、重量計２による重量の測定が安定して行われるようになり、また地震等の要因により作物乾燥機１００が揺れ動いたときでも重量計２等が作物乾燥機１００から外れにくくなる。
【００９８】
なお、上記重量測定装置１Ｃにおいては、台座７１の２つの傾斜底面部７１ｂ，７１ｃと分割支持台７２，７３における分割支持面７２ａ，７３ａについて、互いに傾斜する平面で構成することもできる。この場合は、分割支持台７２，７３の分割支持面７２ａ，７３ａにおける前後端部に台座７１が分割支持面７２ａ，７３ａに沿って位置ずれすることを防止する観点から、分割支持面７２ａ，７３ａにおける前後端部に台座７１の位置を規制する土手部や規制板等を設けるとよい。
また、上記重量測定装置１Ｃにおいては、台座７１の２つの傾斜底面部７１ｂ，７１ｃと分割支持台７２，７３における分割支持面７２ａ，７３ａについて、中央部が窪むように傾斜する２つの傾斜平面を組み合わせた傾斜面で構成することもできる。この場合は、台座７１が分割支持面７２ａ，７３ａに対して中央部の窪みに沿って円滑に安定して移動するようになり、また台座７１が分割支持面７２ａ，７３ａの前後端部に対して位置ずれしにくくなる。
【００９９】
［実施の形態４］
図１６および図１７は、本発明の実施の形態４に係る重量測定装置１Ｄを示すものである。図１６は重量測定装置１Ｄにおける載置台の構成を示し、図１７は重量測定装置１Ｄの取り付けた状態の一部を示している。
この重量測定装置１Ｄは、調整機構４Ｂを有する載置台７に代えて、異なる構成からなる調整機構４Ｃを有する載置台７Ｂを適用して変更した以外は実施の形態３に係る重量測定装置１Ｃと同じ構成からなるものである。
【０１００】
重量測定装置１Ｄにおける載置台７Ｂは、図１６に示されるように、重量計２を載置する台座７６と、台座７６の下部を支える２つの分割支持台７７，７８とで構成される分割形式の載置台である。
【０１０１】
このうち台座７６は、図１６に示されるように、円形の上面部７６ａと、上面部７６ａの下方に凸となる半球面状の底面部７６ｂとを有する構造物である。
上面部７６ａは、重量計２を載置する載置面を含む部分である。また、上面部７６ａには、実施の形態３における台座７１と同様に位置決め凹部３５が設けられている。このため、上面部７６ａにおける実際の載置面７ａは、位置決め凹部３５の底面３５ａになる。
底面部７６ｂにおける半球面状の面は、分割支持台７７，７８における後述する分割支持面（７７ａ，７８ａ）と対応する形状になっている。
【０１０２】
また、分割支持台７７，７８は、台座７６の下部（底面部７６ｂ）をそれぞれ分配して支える分割支持面７７ａ，７８ａを有しているとともに、その分割支持面７７ａ，７８ａどうしを両方向の実線矢印Ｍや破線矢印Ｎで示すように接近および離間させて台座７６を重力方向Ｇに沿う方向Ｑ１，Ｑ２に昇降させる支持台である。分割支持面７７ａ，７８ａはいずれも、台座７６の半球面状の底面部７６ｂと対応するよう湾曲した傾斜面として形成されている。
このような分割支持台７７，７８は、例えば、円柱状の部材を縦方向に２分割した後、その分割した２つの半円柱状の部材の上面および一側面にわたって、傾斜かつ湾曲した面形状からなる分割支持面７７ａ，７８ａを形成したような部材である。
【０１０３】
また、載置台７Ｂにおける調整機構４Ｃは、２つの分割支持台７７，７８を分割支持面７７ａ，７８ａどうしが接近および離間するように移動させて調整するリング状の締め付け調整部材４６で構成されている。
締め付け調整部材４６は、分割支持台７７，７８の半円柱状の外周面の長さを合算した長さよりも長い帯状部材を円環にして両端を外側に折り曲げて対向する結合端部４７ａ，４７ｂを有する本体部と、その結合端部４７ａ，４７ｂに設けたねじ孔４７ｃに取り付けて結合端部４７ａ，４７ｂどうしを連結する締め付けボルト４８とで構成されている。締め付けボルト４８は、ねじ孔４７ｃに適合するおねじが形成されている。
【０１０４】
このリング状の締め付け調整部材４６は、その帯状の本体部を分割支持台７７，７８の外周面に巻き付けた状態に取り付けた後、その本体部の結合端部４７ａ，４７ｂを締め付けボルト４８で結合して間隔を調整することにより、分割支持台７７，７８を所要の間隔をあけて向き合わせた状態にしている。
また、締め付けボルト４８を所要の方向に回転させたときに、締め付け調整部材４６の結合端部４７ａ，４７ｂの間隔が調整され、これにより台座７６を載せた状態にある分割支持台７７，７８が互いに接近する方向に移動するか又は互いに離間する方向に移動するようになる。
【０１０５】
ここで、載置台７Ｂの台座７６は、締め付け調整部材４６の締め付けボルト４８を分割支持台７７，７８が互いに接近する方向Ｍに移動するように回転させたときに実線矢印Ｑ１で示すように上昇し、また、締め付けボルト４８を分割支持台７７，７８が互いに離間する方向Ｎに移動するように回転させたときに破線矢印Ｑ２で示すように下降するようになっている。これにより、載置台７Ｂの載置面７ａの設置面９に対する高さＨの調整が可能になる。
【０１０６】
さらに、載置台７Ｂは、図１７に示されるように、連結部材５により分割支持台７７，７８を作物乾燥機１００の底部１００ｂと互いに接近し得る方向Ｊ１，Ｊ２に変位可能な状態で連結するようになっている。
このため、載置台７Ｂは、分割支持台７７，７８の外側の側面に、実施の形態３における分割支持台７２，７３の場合と同様に、通し孔７４が形成された連結支持突起７５がそれぞれ設けられている。
【０１０７】
＜重量測定装置の作物乾燥機への取り付け＞
この調整機構４Ｃを有する載置台７Ｂを備えた重量測定装置１Ｄは、作物乾燥機１００の底部１００ｂの四隅における各連結フレーム１３１のフランジ部１３１ａへの取り付けに際しては、以下の点で異なるのみで、それ以外は実施の形態３に係る重量測定装置１Ｃの場合とほぼ同様である。
【０１０８】
すなわち、この重量測定装置１Ｄでは、図１７に示されるように、まず調整機構４Ｃの締め付け調整部材４６および締め付けボルト４８により対峙した状態に保たれた分割支持台７７，７８における分割支持面７７ａ，７８ａ上に台座７６を載せることにより、載置台７Ｂを組み立てる。しかる後、台座７６の上面部７６ａにある位置決め凹部３５に重量計２を嵌め入れて載置する。これにより、重量計２が載置台７Ｂの載置面７ａに載置されたことになる。
ちなみに、この重量測定装置１Ｄの場合も、同じ構成からなる４つの重量測定装置１Ｄを取り付けることになる。
【０１０９】
この際、締め付け調整部材４６は、分割支持台７７，７８が所要の隙間をあけた状態で対峙するよう適当な量だけ締め付けボルト４８を回転させて仮止めの状態に取り付けられる。またこの際、重量計２は、その本体部２１が、台座７６の位置決め凹部３５に嵌め入れられることで外側から保持された状態になって位置決めされる。
【０１１０】
続いて、重量測定装置１Ｄにおける調整機構４Ｃの締め付け調整部材４６および締め付けボルト４８で対峙して配置されるとともに重量計２が載置された状態の分割形式の載置台７Ｂを、持ち上げた状態の作物乾燥機１００の底部１００ｂの四隅と設置面９との間に介在させるように配置する。
【０１１１】
この際、載置台７Ｂは、その２つ分割支持台７７，７８にある連結支持突起７５の通し孔７４が、底部１００ｂの四隅における連結フレーム１３１にある通し孔１３４と対向して合致するように調整して配置する。またこの際、連結部材５であるボルト５１を、四隅の隣り合う各連結フレーム１３１における通し孔１３４を通した後に、載置台７Ｂの分割支持台７７，７８の連結支持突起７５における各通し孔７４に通して取り付ける。
【０１１２】
続いて、持ち上げた状態の作物乾燥機１００を下降させる。
これにより、重量測定装置１Ｄは、図１７に示されるように、載置台７Ｂの台座７６の載置面７ａに載置された重量計２の荷重受け部２２が作物乾燥機１００の底部１００ｂの四隅にある連結フレーム１３１の一部に接触した状態になる。
【０１１３】
最後に、重量測定装置１Ｄは、載置台７Ｂにおける調整機構４Ｃとしての締め付けボルト４８をネジ回し工具により所要の方向に回転させることにより、分割支持台７７，７８を接近又は離間する方向に移動させて台座７６を上下のいずれかの方向に所要量だけ昇降させて変位させる。
これにより、台座７６における載置面７ａの設置面９に対する高さＨが所望の状態に調整される。
【０１１４】
以上により、４つの重量測定装置１Ｄは、図２、図３、図１７等に示されるように作物乾燥機１００の底部１００ｂの四隅に取り付けられる。
【０１１５】
そして、この重量測定装置１Ｄの場合においても、特殊な作業を行うことや特殊な工具等の機器を用いることが要求されることなく、作物乾燥機１００の底部１００ｂに対して容易に取り付けることができる。また、載置台７Ｂの調整機構４Ｃによる高さＨの調整作業は、１つの締め付けボルト４８を回転させるだけで済み、実施の形態３における載置台７の調整機構４Ｂのように２つの調整部材４３，４４をそれぞれ回転させて行う作業に比べて、作業性が向上する。
【０１１６】
また、重量測定装置１Ｄの場合においては、地震等の要因により作物収容体である作物乾燥機１００が揺れ動いたときでも、載置台７Ｂ（実際には分割支持台７７，７８）と作物乾燥機１００の底部１００ｂとの水平方向における位置関係が連結部材５で保持されるので、その重量計２等が作物乾燥機１００から外れにくくなる。この際、重量計２は、載置台７Ｂにおける台座７６の位置決め凹部３５で嵌め入れられて保持されているので、これによっても作物乾燥機１００から外れにくくなる。
【０１１７】
さらに、重量測定装置１Ｄの場合においては、載置台７Ｂの台座７６の底面部７６ｂと分割支持台７７，７８における分割支持面７７ａ，７８ａとが下方に凸になる半球面状の曲面で構成されて接触しているので、台座７６が分割支持台７７，７８における分割支持面７７ａ，７８ａに安定して支持されているとともに外力が加わっても微量に移動して外力を吸収するようなる。このことによっても、重量計２による重量の測定が安定して行われるようになり、また地震等の要因により作物乾燥機１００が揺れ動いたときでも重量計２等が作物乾燥機１００から外れにくくなる。
【０１１８】
なお、上記重量測定装置１Ｄにおいては、調整機構４Ｃを有する載置台７Ｂに代えて、図１８に示される調整機構４Ｃを有する載置台７Ｃを適用することもできる。
【０１１９】
載置台７Ｃは、重量計２を載置する台座７６Ｂと、台座７６Ｂの下部を支える２つの分割支持台７７Ｂ，７８Ｂとで構成される分割形式の載置台である。
【０１２０】
このうち台座７６Ｂは、図１８に示されるように、矩形の上面部７６ｃと、上面部７６ｃの左右端部から下方にそれぞれ傾斜して延びる２つの傾斜側面部７６ｄ，７６ｅと、前後の側面部７６ｆ，７６ｇと、上面部７６ｃと平行する底面部とを有する構造物である。
上面部７６ｃには、位置決め凹部３５が設けられている。このため、上面部７６ｃにおける実際の載置面７ａは、位置決め凹部３５の底面３５ａになる。
２つの傾斜側面部７６ｄ，７６ｅの傾斜面は、平面状の面であるとともに、分割支持台７７Ｂ，７８Ｂにおける後述する分割支持面（７９ａ，７９ｂ）と対応する形状になっている。
【０１２１】
また、分割支持台７７Ｂ，７８Ｂは、台座７６Ｂの下部（傾斜側面部７６ｄ，７６ｅ）をそれぞれ分配して支える分割支持面７９ａ，７９ｂを有しているとともに、その分割支持面７９ａ，７９ｂどうしを両方向の実線矢印Ｍや破線矢印Ｎで示すように接近および離間させて台座７６Ｂを重力方向Ｇに沿う方向Ｑ１，Ｑ２に昇降させる支持台である。
分割支持台７７Ｂにおける分割支持面７９ａは、台座７６Ｂの一方の傾斜側面部７６ｄを支える傾斜支持面である。分割支持台７８Ｂにおける分割支持面７９ｂは、台座７６Ｂの他方の傾斜側面部７６ｅを支える傾斜支持面である。この分割支持面７９ａ，７９ｂはいずれも、台座７６Ｂの２つの傾斜側面部７６ｄ，７６ｅとそれぞれ対応する角度で傾斜する平面として形成されている。また、分割支持面７９ａ，７９ｂは、台座７６Ｂの前後方向の長さとほぼ同じ幅で形成されており、その前後端部には前後の側壁７９ｃ、７９ｄ、７９ｅ、７９ｆが存在する構成になっている。
このような分割支持台７７Ｂ，７８Ｂは、例えば、直方体状の部材の上面および一側面の中央寄りの部分を平面で斜めに切り欠く（切削する）ことにより、側壁７９ｃ、７９ｄ、７９ｅ、７９ｆを有する分割支持面７９ａ，７９ｂを形成したような部材である。
【０１２２】
また、載置台７Ｃにおける調整機構４Ｃは、上記重量測定装置１Ｄにおける載置台７Ｂの調整機構４Ｃと同様に、２つの分割支持台７７Ｂ，７８Ｂをその分割支持面７９ａ，７９ｂどうしが接近および離間するように移動させて調整するリング状の締め付け調整部材４６および締め付けボルト４８で構成されている。
さらに、載置台７Ｃは、上記重量測定装置１Ｄにおける分割支持台７７，７８の場合と同様に、分割支持台７７Ｂ，７８Ｂの外側の側面に通し孔７４が形成された連結支持突起７５がそれぞれ設けられている。
【０１２３】
この調整機構４Ｃを有する載置台７Ｃを適用した重量測定装置１Ｄは、作物乾燥機１００の底部１００ｂに取り付けて使用する場合、以下の作用効果が得られる。
【０１２４】
例えば、載置台７Ｃにおける台座７６Ｂが分割支持台７７Ｂ，７８Ｂに安定して支持されるようになり、その台座７６Ｂに載置された重量計２による重量の測定も安定して行われるようになる。
【０１２５】
また、作物乾燥機１００が揺れ動いたときでも、載置台７Ｃ（実際には分割支持台７７Ｂ，７８Ｂ）と作物乾燥機１００の底部１００ｂとの水平方向における位置関係が連結部材５で保持されることに加えて、台座７６Ｂが分割支持台７７Ｂ，７８Ｂにおける側壁７９ｃ、７９ｄ、７９ｅ、７９ｆを有した傾斜平面からなる分割支持面７９ａ，７９ｂに対して安定してかつ逸脱しにくい状態で支持されるので、その重量計２等が作物乾燥機１００から外れにくくなる。この際、重量計２は、載置台７Ｃにおける台座７６Ｂの位置決め凹部３５で嵌め入れられて保持されていることによっても作物乾燥機１００から外れにくくなることは言うまでもない。
【０１２６】
また、上記重量測定装置１Ｄにおいては、載置台７Ｃの台座７６Ｂの側面に水平線目盛８７を設けてもよい。
【０１２７】
水平線目盛８７は、載置台７Ｃの載置面７ａと平行する複数本の直線からなるものである。この水平線目盛８７は、台座７６Ｂの側面の一部に設けることでも構わないが、どの方向からも視認して利用しやすくする観点等から、可能な範囲で台座７６Ｂの側面に全域に設けるとよい。
【０１２８】
この水平線目盛８７を設けた場合には、重量測定装置１Ｄにおいて載置台７Ｃの調整機構４Ｃによる高さＨの調整作業時に、高さの目安になり、作業性が向上する。
なお、この水平線目盛８７は、上記重量測定装置１Ｄにおける載置台７Ｂの台座７６の底面部７６ｂに設けることができ、同様の作用効果が得られる。
【０１２９】
［変形例］
本発明は、実施の形態１−４で例示した内容に何ら限定されるものではなく特許請求の範囲に記載の各発明の要旨を変更しない範囲内で種々の変更が可能であり、例えば、以下に挙げるような変形例も含むものである。
【０１３０】
実施の形態１，２では、載置台３の本体部３１に重量計２の位置決め突起３３を設けることを例示し、実施の形態３，４では載置台７等の台座７１，７６，７６Ｂに重量計２の位置決め凹部３５を設けることを例示した。しかし、重量計２の位置決めする位置決め手段としては、重量計２の本体部２１の底面に複数の突起を設ける一方で、載置台３の本体部３１や載置台７の台座７１，７６，７６Ｂに上記突起を嵌め入れる位置決め孔を設ける構成を採用してもよい。
【０１３１】
また、実施の形態３，４では、連結部材５を、載置台７等の分割支持台７２，７３，７７，７８等に設けた連結支持突起７５の通し孔７４に通して取り付ける場合の構成を例示した。しかし、連結部材５については、載置台７等の台座７１，７６等に連結支持突起７５を設けて取り付けるように構成することも可能である。
【０１３２】
また、実施の形態３に係る重量測定装置１Ｃについては、図１９に例示するように、分割形式の載置台７を調整機構４を備えた板状の載置台３に載せている点と、連結部材５を載置台７における分割支持台７２，７３でなく載置台３に取り付けて連結している点で変更した重量測定装置１Ｃ´として構成することも可能である。
また、実施の形態４に係る重量測定装置１Ｄについても、図２０に例示するように、分割形式の載置台７Ｂを調整機構４を備えた板状の載置台３に載せている点と、連結部材５を載置台７Ｂにおける分割支持台７７，７８でなく載置台３に取り付けて連結している点で変更した重量測定装置１Ｄ´として構成することも可能である。
【０１３３】
さらに、実施の形態１−４では、重量測定装置１Ａ−１Ｄを作物乾燥機１００に取り付けて重量の測定を行う場合を示した。しかし、重量測定装置１Ａ−１Ｄに代表される本発明の重量測定装置は、作物を収容する他の作物収容体の重量を測定する場合に適用することが可能であり、例えば、作物乾燥機１００の乾燥機能を備えず、作物を一時的に収容する作物収容体を備えた作物収容機などの重量の測定に適用することができる。この他、作物の種類についても特に限定されない。
【符号の説明】
【０１３４】
１    重量測定装置
２    重量計
３，７  載置台
３ａ，７ａ  載置面
４    調整機構
５    連結部材
６    介在部材
９    設置面
２２  荷重受け部（突出部）
３１  本体部（板状の部材）
３３  位置決め突起
３５  位置決め凹部
４１  支持脚
４３，４４  調整部材
４６  締め付け調整部材
６２  保持部
７１  台座
７２，７３  分割支持台
７２ａ，７３ａ  分割支持面
７６  台座
７７，７８  分割支持台
７７ａ，７８ａ  分割支持面
１００  作物乾燥機（作物収容体）
１３０  柱フレーム
１３１  連結フレーム
１３１ａ  フランジ部
Ｈ    高さ
Ｊ１，Ｊ２  互いに接近し得る方向
Ｍ    接近する方向
Ｎ    離間する方向
【図１】
2020046318.tif 000003
【図２】
2020046318.tif 000004
【図３】
2020046318.tif 000005
【図４】
2020046318.tif 000006
【図５】
2020046318.tif 000007
【図６】
2020046318.tif 000008
【図７】
2020046318.tif 000009
【図８】
2020046318.tif 000010
【図９】
2020046318.tif 000011
【図１０】
2020046318.tif 000012
【図１１】
2020046318.tif 000013
【図１２】
2020046318.tif 000014
【図１３】
2020046318.tif 000015
【図１４】
2020046318.tif 000016
【図１５】
2020046318.tif 000017
【図１６】
2020046318.tif 000018
【図１７】
2020046318.tif 000019
【図１８】
2020046318.tif 000020
【図１９】
2020046318.tif 000021
【図２０】
2020046318.tif 000022